Podtech/llm-jp-corpus-v4-ja_patent huggingface dataset:
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
基板の一面に設けられた第１発光手段及び第２発光手段と、
前記第１発光手段から端面に入射された光を誘導する第１導光板と、
前記第１発光手段に対し前記基板に沿う方向に離れた位置に設けられ、前記第１導光板により誘導された光により発光する第１発光部と、
前記第２発光手段から端面に入射された光を誘導する第２導光板と、
前記第２発光手段に対し前記基板に沿う方向に離れた位置に設けられ、前記第２導光板により誘導された光により発光する第２発光部と、
前記基板の一面側から少なくとも前記第１発光手段及び前記第２発光手段を視認不能または視認困難に被覆する被覆部と、
を備え、
前記第１導光板は、前記基板の一面側に重なるように配置され、前記第１発光手段からの光を前記基板に沿う方向に向けて誘導し、
前記第２導光板は、前記第１導光板に重なるように配置され、前記第２発光手段からの光を前記基板に沿う方向に向けて誘導する、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａの遊技機は、
遊技が可能な遊技機であって、
基板の一面に設けられた第１発光手段及び第２発光手段と、
前記第１発光手段から端面に入射された光を誘導する第１導光板と、
前記第１発光手段に対し前記基板に沿う方向に離れた位置に設けられ、前記第１導光板により誘導された光により発光する第１発光部と、
前記第２発光手段から端面に入射された光を誘導する第２導光板と、
前記第２発光手段に対し前記基板に沿う方向に離れた位置に設けられ、前記第２導光板により誘導された光により発光する第２発光部と、
前記基板の一面側から少なくとも前記第１発光手段及び前記第２発光手段を視認不能または視認困難に被覆する被覆部と、
を備え、
前記第１導光板は、前記基板の一面側に重なるように配置され、前記第１発光手段からの光を前記基板に沿う方向に向けて誘導し、
前記第２導光板は、前記第１導光板に重なるように配置され、前記第２発光手段からの光を前記基板に沿う方向に向けて誘導する、
ことを特徴としている。
また、手段１の遊技機として、
遊技が可能な遊技機（例えば、パチンコ遊技機１）であって、
基板（例えば、第２ＬＥＤ基板５１２Ｌ，５１２Ｒ）の一面（例えば、前面５１２Ｆ）に設けられた第１発光手段及び第２発光手段（例えば、第２演出用ＬＥＤ５２１及び第２演出用ＬＥＤ５２２）と、
前記第１発光手段から端面（例えば、入光部５６１Ａ）に入射された光を誘導する第１導光板（例えば、第１インナーレンズ５６１）と、
前記第１発光手段に対し前記基板に沿う方向に離れた位置に設けられ、前記第１導光板により誘導された光により発光する第１発光部（例えば、発光部５６１Ｄ）と、
前記第２発光手段から端面（例えば、入光部５６２Ａ）に入射された光を誘導する第２導光板（例えば、第２インナーレンズ５６２）と、
前記第２発光手段に対し前記基板に沿う方向に離れた位置に設けられ、前記第２導光板により誘導された光により発光する第２発光部（例えば、発光部５６２Ｆ）と、
を備え、
前記第１導光板は、前記基板の一面側に重なるように配置され、前記第１発光手段からの光を前記基板に沿う方向に向けて誘導し（例えば、第１インナーレンズ５６１は、第２ＬＥＤ基板５１２Ｒの前面５１２Ｆ側に重なるように配置され、第２演出用ＬＥＤ５２１からの光を第２ＬＥＤ基板５１２Ｒに沿う方向に向けて誘導する。図２３参照）、
前記第２導光板は、前記第１導光板に重なるように配置され、前記第２発光手段からの光を前記基板に沿う方向に向けて誘導する（例えば、第２インナーレンズ５６２は、第１インナーレンズ５６１の前面側に重なるように配置され、第２演出用ＬＥＤ５２２からの光を第２ＬＥＤ基板５１２Ｒに沿う方向に向けて誘導する。図２３参照）
ことを特徴としてもよい。
この特徴によれば、第１発光部と第１発光手段及び第２発光部と第２発光手段とを基板に沿う方向にずらして配置できるので、第１発光部と第２発光部とを点光りさせることなく好適に発光させることができる。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するか否かを判定し、前記判定の結果に応じた遊技演出を実行可能な遊技機において、
前記遊技演出において前記特別遊技の実行を期待させる複数の特別演出の何れかを実行する特別演出実行手段と、
前記特別演出が実行される以前に、表示手段に表示させた数量を更新していく更新演出を実行する更新演出実行手段と、を備え、
同じ種類の前記特別演出が実行される場合であっても、前記更新演出で最終的に示された数量によって前記特別遊技が実行される期待度が異なることを特徴とする遊技機。
【手続補正２】
【補正対象書類名】明細書
【補正対象項目名】０００７
【補正方法】変更
【補正の内容】
【０００７】
上記課題を解決するため、本発明は、遊技者に有利な特別遊技（大当たり遊技）を実行するか否かを判定し、前記判定の結果に応じた遊技演出（変動演出）を実行可能な遊技機において、前記遊技演出において前記特別遊技の実行を期待させる複数の特別演出（リーチ演出）の何れかを実行する特別演出実行手段（演出制御基板１２０）と、前記特別演出が実行される以前に、表示手段に表示させた数量を更新していく更新演出（カウントアップ演出）を実行する更新演出実行手段（演出制御基板１２０）と、を備え、同じ種類の前記特別演出が実行される場合であっても、前記更新演出で最終的に示された数量によって前記特別遊技が実行される期待度が異なることを特徴とする。
【手続補正書】
【提出日】令和1年8月20日(2019.8.20)
【手続補正１】
【補正対象書類名】明細書
【補正対象項目名】０００１
【補正方法】変更
【補正の内容】
【０００１】
本発明は、麺用ほぐれ剤及び麺に関する。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
遊技制御をおこなう主制御手段と、前記主制御手段の指令にもとづいて演出制御をおこなう従制御手段とを備え、
前記従制御手段は、
演出の振分を規定するテーブルデータを記憶する記憶部と、
前記指令のうち第１の指令にもとづく前記テーブルデータからの演出振分を第１プログラムの実行により制御する第１制御と、前記指令のうち第２の指令にもとづく前記テーブルデータからの演出振分を前記第１プログラムと異なる第２プログラムの実行により制御する第２制御と、前記指令のうち前記第１の指令または前記第２の指令にもとづく前記テーブルデータからの演出振分を前記第１プログラムおよび前記第２プログラムと異なる第３プログラムの実行により制御する第３制御とを実行可能な制御部と、
を含む遊技機。
【手続補正２】
【補正対象書類名】明細書
【補正対象項目名】０００２
【補正方法】変更
【補正の内容】
【０００２】
主制御手段（主制御装置、主制御基板）の制御負担を従制御手段（従制御装置、サブ制御基板）に分散させて主制御手段に搭載されるプログラム容量やデータ容量を減少させて主制御手段のプログラム開発を容易にすることができる遊技機がある。
【手続補正３】
【補正対象書類名】明細書
【補正対象項目名】０００４
【補正方法】変更
【補正の内容】
【０００４】
しかしながら、従制御手段のプログラム開発は、遊技演出の多様化に伴い複雑化する一方であり、従制御手段のプログラム開発においても負担軽減が求められている。
【手続補正４】
【補正対象書類名】明細書
【補正対象項目名】０００５
【補正方法】変更
【補正の内容】
【０００５】
１つの側面では、本発明は、従制御手段におけるプログラムの開発負担を軽減できる遊技機を提供することを目的とする。
【手続補正５】
【補正対象書類名】明細書
【補正対象項目名】０００６
【補正方法】変更
【補正の内容】
【０００６】
上記目的を達成するために、以下に示すような、遊技機が提供される。遊技機は、遊技制御をおこなう主制御手段と、主制御手段の指令にもとづいて演出制御をおこなう従制御手段とを備える。従制御手段は、演出の振分を規定するテーブルデータを記憶する記憶部と、指令のうち第１の指令にもとづくテーブルデータからの演出振分を第１プログラムの実行により制御する第１制御と、指令のうち第２の指令にもとづくテーブルデータからの演出振分を第１プログラムと異なる第２プログラムの実行により制御する第２制御と、指令のうち第１の指令または第２の指令にもとづくテーブルデータからの演出振分を第１プログラムおよび第２プログラムと異なる第３プログラムの実行により制御する第３制御とを実行可能な制御部と、を含む。
【手続補正６】
【補正対象書類名】明細書
【補正対象項目名】０００７
【補正方法】変更
【補正の内容】
【０００７】
１態様によれば、遊技機において、従制御手段におけるプログラムの開発負担を軽減できる。
【手続補正書】
【提出日】令和1年10月30日(2019.10.30)
【手続補正１】
【補正対象書類名】明細書
【補正対象項目名】０００４
【補正方法】変更
【補正の内容】
【０００４】
しかしながら、従来の遊技機において、遊技場管理者の作業効率を向上させることができなかった。
【手続補正２】
【補正対象書類名】明細書
【補正対象項目名】０００５
【補正方法】変更
【補正の内容】
【０００５】
本発明は、遊技場管理者の作業効率を向上させることを目的とする。
【手続補正３】
【補正対象書類名】明細書
【補正対象項目名】０００７
【補正方法】変更
【補正の内容】
【０００７】
本発明の一形態によれば、遊技場管理者の作業効率を向上させることができる。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
少なくとも一部が導電性を有する導電部材と、
電子部品が実装される実装基板と、を備え、
前記導電部材は、前記実装基板の外周に隣接するように配置され、
前記実装基板は、実装される電子部品に近い位置に形成される第１グランド領域と、該第１グランド領域と実装基板の端部との間に形成される第２グランド領域とを有し、
前記電子部品は、前記第１グランド領域の内側に実装される、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａの遊技機は、
遊技が可能な遊技機であって、
少なくとも一部が導電性を有する導電部材と、
電子部品が実装される実装基板と、を備え、
前記導電部材は、前記実装基板の外周に隣接するように配置され、
前記実装基板は、実装される電子部品に近い位置に形成される第１グランド領域と、該第１グランド領域と実装基板の端部との間に形成される第２グランド領域とを有し、
前記電子部品は、前記第１グランド領域の内側に実装される、
ことを特徴としている。
さらに、前記課題を解決するために、本発明の手段１の遊技機は、
遊技が可能な遊技機（例えば、パチンコ遊技機１）であって、
少なくとも一部が導電性を有する導電部材（例えば、装飾部材８０３のボス８４４Ａ〜８４４Ｅ）と、
電子部品（例えば、前側ＬＥＤ８１０〜８１２、８１３など）が実装される実装基板（例えば、基板８０１）と、
を備え、
前記導電部材は、前記実装基板の外周に隣接するように配置され（例えば、ボス８４４Ａ〜８４４Ｅは、基板８０１における切欠部８２４Ｃに近接して配置される）、
前記実装基板は、実装される電子部品に近い位置に形成される第１グランド領域と、該第１グランド領域（例えば、ベタグランド電極Ｙ）と実装基板の端部との間に形成される第２グランド領域（例えば、外周グランドＸ）とを有する（例えば、図２４の変形例１２参照）
ことを特徴としている。
この特徴によれば、実装基板に実装された電子部品の誤動作を低減できる。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
遊技領域に遊技媒体を発射することにより遊技が可能な遊技機であって、
前記遊技領域は、
遊技媒体が進入可能な進入領域と、
遊技媒体が進入不能または進入困難な第１状態と進入し易い第２状態とに変化可能で、前記進入領域よりも上方位置に配置可能な第１非電動可変手段と、
遊技媒体が進入不能または進入困難な第１状態と進入し易い第２状態とに変化可能な前記第１非電動可変手段とは異なる第２非電動可変手段と、
を有し、
前記第１非電動可変手段は、第１作動部材が動作することにより前記第１状態から前記第２状態に変化し、
前記第２非電動可変手段は、第２作動部材が動作することにより前記第１状態から前記第２状態に変化し、
前記進入領域に進入した遊技媒体が前記第１作動部材に作用して該第１作動部材を動作させるとともに、該第１作動部材に作用した遊技媒体が前記第２作動部材に作用して該第２作動部材を動作させるための作動経路を備える
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
前記遊技領域は、
遊技媒体が進入可能な進入領域と、
遊技媒体が進入不能または進入困難な第１状態と進入し易い第２状態とに変化可能で、前記進入領域よりも上方位置に配置可能な第１非電動可変手段と、
遊技媒体が進入不能または進入困難な第１状態と進入し易い第２状態とに変化可能な前記第１非電動可変手段とは異なる第２非電動可変手段と、
を有し、
前記第１非電動可変手段は、第１作動部材が動作することにより前記第１状態から前記第２状態に変化し、
前記第２非電動可変手段は、第２作動部材が動作することにより前記第１状態から前記第２状態に変化し、
前記進入領域に進入した遊技媒体が前記第１作動部材に作用して該第１作動部材を動作させるとともに、該第１作動部材に作用した遊技媒体が前記第２作動部材に作用して該第２作動部材を動作させるための作動経路を備える
ことを特徴とする。
また、手段１の遊技機として、
遊技領域（例えば、遊技領域１０）に遊技媒体（例えば、遊技球Ｐ）を発射することにより遊技が可能な遊技機（例えば、パチンコ遊技機１）であって、
前記遊技領域は、
遊技媒体が進入可能な進入領域（例えば、通過ゲート４１や普通可変入賞球装置２８など）と、
遊技媒体が進入不能または進入困難な第１状態（例えば、閉鎖状態）と進入し易い第２状態（例えば、開放状態）とに変化可能な第１非電動可変装置（例えば、非電動可変入賞球装置６Ａ）と、
遊技媒体が進入不能または進入困難な第１状態（例えば、閉鎖状態）と進入し易い第２状態（例えば、開放状態）とに変化可能な前記第１非電動可変装置とは異なる第２非電動可変装置（例えば、非電動可変入賞球装置６Ｂ）と、
を有し、
前記第１非電動可変装置は、第１作動部材（例えば、非電動可変入賞球装置６Ａの作動部材３０４）が動作することにより前記第１状態から前記第２状態に変化し、
前記第２非電動可変装置は、第２作動部材（例えば、非電動可変入賞球装置６Ｂの作動部材３０４）が動作することにより前記第１状態から前記第２状態に変化し、
前記進入領域に進入した遊技媒体が前記第１作動部材に作用して該第１作動部材を動作させるとともに、該第１作動部材に作用した遊技媒体が前記第２作動部材に作用して該第２作動部材を動作させるための作動経路を備える（例えば、普通可変入賞球装置２８に進入した後、作動経路２０４に進入した一の遊技球Ｐが作動経路２０４を流下し、上段の非電動可変入賞球装置６Ａの作動部材３０４、中段の非電動可変入賞球装置６Ｂの作動部材３０４、下段の非電動可変入賞球装置６Ｃの作動部材３０４の順に接触して作動部材３０４を回動させることにより、非電動可変入賞球装置６Ａ，６Ｂ，６Ｃが順次開放状態に変化する。図１８参照）
ことを特徴としてもよい。
この特徴によれば、一の遊技媒体により複数の非電動可変装置を異なるタイミングで第１状態から第２状態に変化させることができるので、遊技の興趣が向上する。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
複数の設定値のうちのいずれかの設定値を設定可能な設定手段と、
前記設定手段によって設定された設定値にもとづいて前記有利状態に関する制御を実行可能な遊技制御手段と、
を備え、
前記遊技制御手段により制御され、少なくとも可変表示を行うことが可能な可変表示部を含む情報表示部を有し、
特定条件が成立したときに前記設定手段による設定値の設定を行うことが可能な設定状態に移行し、
前記特定条件が成立したときに、少なくとも前記設定値が記憶されている記憶領域に関するエラーが発生した場合は、当該エラーが発生したことを特定可能な表示を前記情報表示部において行うことが可能である、
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００２
【補正方法】変更
【補正の内容】
【０００２】
従来、設定値変更機能付きパチンコ遊技機がある（例えば、特許文献１参照）。
【手続補正４】
【補正対象書類名】明細書
【補正対象項目名】０００３
【補正方法】変更
【補正の内容】
【０００３】
【特許文献１】特開２０１０−２００９０２号公報
【手続補正５】
【補正対象書類名】明細書
【補正対象項目名】０００４
【補正方法】変更
【補正の内容】
【０００４】
しかしながら、特許文献１に記載されている遊技機にあっては、設定状態において所定のエラーが発生したことを好適に報知することができないという問題がある。
【手続補正６】
【補正対象書類名】明細書
【補正対象項目名】０００５
【補正方法】変更
【補正の内容】
【０００５】
本発明は、このような問題点に着目してなされたもので、設定状態において所定のエラーが発生したことを好適に報知することができる遊技機を提供することを目的とする。
【手続補正７】
【補正対象書類名】明細書
【補正対象項目名】０００６
【補正方法】変更
【補正の内容】
【０００６】
手段１の遊技機は、
可変表示を行い、遊技者にとって有利な有利状態（例えば、大当り遊技状態）に制御可能な遊技機（例えば、パチンコ遊技機１）であって、
複数の設定値（例えば、設定値としての１〜６）のうちのいずれかの設定値を設定可能な設定手段（例えば、ＣＰＵ１０３が図９−２２に示す設定値変更処理を実行する部分）と、
前記設定手段によって設定された設定値にもとづいて前記有利状態に関する制御を実行可能な遊技制御手段（例えば、ＣＰＵ１０３が特別図柄プロセス処理を実行する部分）と、
を備え、
前記遊技制御手段により制御され、少なくとも可変表示を行うことが可能な可変表示部（例えば、第１特別図柄表示装置２０７ＳＧ００４Ａと第２特別図柄表示装置２０７ＳＧ００４Ｂ）を含む情報表示部（例えば、遊技情報表示部２０７ＳＧ２００）を有し、
特定条件が成立したとき（例えば、図９−２０に示すように、パチンコ遊技機１の起動時にクリアスイッチ、錠スイッチ２０７ＳＧ０５１、開放センサ２０７ＳＧ０９０がそれぞれＯＮであるとき）に前記設定手段による設定値の設定を行うことが可能な設定状態（例えば、ＣＰＵ１０３が図９−２２に示す設定値変更処理を実行中である状態）に移行し、
前記特定条件が成立したときに、少なくとも前記設定値が記憶されている記憶領域に関するエラーが発生した場合は、当該エラーが発生したことを特定可能な表示を前記情報表示部において行うことが可能である（例えば、図９−２７（Ｂ）に示すように、設定値異常エラーが発生した場合は、第１特別図柄表示装置２０７ＳＧ００４Ａと第２特別図柄表示装置２０７ＳＧ００４Ｂとを構成する全セグメントを点滅させる部分）、
ことを特徴としている。
この特徴によれば、遊技機において重要な表示となる可変表示が実行される情報表示部において、特定条件が成立しても設定値が記憶されている記憶領域に関するエラーが発生したときに、設定値の再設定が必要であることの報知を好適に行うことができる。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
複数の設定値のうちのいずれかの設定値を設定可能な設定手段と、
前記設定手段によって設定された設定値にもとづいて前記有利状態に関する制御を実行可能な遊技制御手段と、
を備え、
前記遊技制御手段により制御され、少なくとも可変表示を行うことが可能な可変表示部を含む情報表示部を有し、
特定条件が成立したときに前記設定手段による設定値の設定を行うことが可能な設定状態に移行し、
前記情報表示部に、遊技中の可変表示の態様とは異なる態様で表示されることにより、前記設定状態であることを認識可能とする、
ことを特徴とする遊技機。
【請求項２】
可変表示を行い、遊技者にとって有利な有利状態に制御可能な遊技機であって、
複数の設定値のうちのいずれかの設定値を設定可能な設定手段と、
前記設定手段によって設定された設定値にもとづいて前記有利状態に関する制御を実行可能な遊技制御手段と、
を備え、
前記遊技制御手段により制御され、少なくとも可変表示を行うことが可能な可変表示部を含む情報表示部を有し、
確認条件が成立したときに前記設定手段により設定されている設定値の確認を行うことが可能な確認状態に移行し、
前記情報表示部に、遊技中の可変表示の態様とは異なる態様で表示されることにより、前記確認状態であることを認識可能とする、
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００２
【補正方法】変更
【補正の内容】
【０００２】
従来、設定値変更機能付きパチンコ遊技機がある（例えば、特許文献１参照）。
【手続補正４】
【補正対象書類名】明細書
【補正対象項目名】０００３
【補正方法】変更
【補正の内容】
【０００３】
【特許文献１】特開２０１０−２００９０２号公報
【手続補正５】
【補正対象書類名】明細書
【補正対象項目名】０００４
【補正方法】変更
【補正の内容】
【０００４】
しかしながら、特許文献１に記載されている遊技機にあっては、設定状態であることが液晶画面でのみ報知されるため、設定状態であることの報知を好適に行うことができないという問題がある。
【手続補正６】
【補正対象書類名】明細書
【補正対象項目名】０００５
【補正方法】変更
【補正の内容】
【０００５】
本発明は、このような問題点に着目してなされたもので、設定状態であることの報知を好適に行うことができる遊技機を提供することを目的とする。
【手続補正７】
【補正対象書類名】明細書
【補正対象項目名】０００６
【補正方法】変更
【補正の内容】
【０００６】
手段１の遊技機は、
可変表示を行い、遊技者にとって有利な有利状態（例えば、大当り遊技状態）に制御可能な遊技機（例えば、パチンコ遊技機１）であって、
複数の設定値（例えば、設定値としての１〜６）のうちのいずれかの設定値を設定可能な設定手段（例えば、ＣＰＵ１０３が図９−２２に示す設定値変更処理を実行する部分）と、
前記設定手段によって設定された設定値にもとづいて前記有利状態に関する制御を実行可能な遊技制御手段（例えば、ＣＰＵ１０３が特別図柄プロセス処理を実行する部分）と、
を備え、
前記遊技制御手段により制御され、少なくとも可変表示を行うことが可能な可変表示部（例えば、第１特別図柄表示装置２０７ＳＧ００４Ａと第２特別図柄表示装置２０７ＳＧ００４Ｂ）を含む情報表示部（例えば、遊技情報表示部２０７ＳＧ２００）を有し、
特定条件が成立したとき（例えば、図９−２０に示すように、パチンコ遊技機１の起動時にクリアスイッチ、錠スイッチ２０７ＳＧ０５１、開放センサ２０７ＳＧ０９０がそれぞれＯＮであるとき）に前記設定手段による設定値の設定を行うことが可能な設定状態（例えば、ＣＰＵ１０３が図９−２２に示す設定値変更処理を実行中である状態）に移行し、
前記情報表示部に、遊技中の可変表示の態様とは異なる態様で表示されることにより、前記確認状態であることを認識可能とする（例えば、図９−２７（Ａ）等に示すように、ＣＰＵ１０３が設定値変更処理の実行中である場合は、変動表示結果を導出表示する場合の表示態様と異なり、第１特別図柄表示装置２０７ＳＧ００４Ａと第２特別図柄表示装置２０７ＳＧ００４Ｂとを構成する全セグメントを点灯させる）、
ことを特徴としている。
この特徴によれば、遊技機において重要な表示となる可変表示が実行される情報表示部において設定状態であることが的確に報知されるので、好適な報知を行うことができる。
また、手段２の遊技機は、
可変表示を行い、遊技者にとって有利な有利状態（例えば、大当り遊技状態）に制御可能な遊技機（例えば、パチンコ遊技機１）であって、
複数の設定値（例えば、設定値としての１〜６）のうちのいずれかの設定値を設定可能な設定手段（例えば、ＣＰＵ１０３が図９−２２に示す設定値変更処理を実行する部分）と、
前記設定手段によって設定された設定値にもとづいて前記有利状態に関する制御を実行可能な遊技制御手段（例えば、ＣＰＵ１０３が特別図柄プロセス処理を実行する部分）と、
を備え、
前記遊技制御手段により制御され、少なくとも可変表示を行うことが可能な可変表示部（例えば、第１特別図柄表示装置２０７ＳＧ００４Ａと第２特別図柄表示装置２０７ＳＧ００４Ｂ）を含む情報表示部（例えば、遊技情報表示部２０７ＳＧ２００）を有し、
確認条件が成立したとき（例えば、図９−２０に示すように、パチンコ遊技機１の起動時にクリアスイッチがＯＦＦ、錠スイッチ２０７ＳＧ０５１と開放センサ２０７ＳＧ０９０とがＯＮであるとき）に前記設定手段により設定されている設定値の確認を行うことが可能な確認状態（例えば、ＣＰＵ１０３が図９−２３に示す設定値確認処理を実行中である状態）に移行し、
前記情報表示部に、遊技中の可変表示の態様とは異なる態様で表示されることにより、前記確認状態であることを認識可能とする（例えば、図９−２７（Ａ）等に示すように、ＣＰＵ１０３が設定値確認処理の実行中である場合は、変動表示結果を導出表示する場合の表示態様と異なり、第１特別図柄表示装置２０７ＳＧ００４Ａと第２特別図柄表示装置２０７ＳＧ００４Ｂとを構成する全セグメントを点灯させる）、
ことを特徴としている。
この特徴によれば、遊技機において重要な表示となる可変表示が実行される情報表示部において確認状態であることが的確に報知されるので、好適な報知を行うことができる。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
遊技媒体を用いた遊技が可能であり、遊技者にとって有利な有利状態に制御可能な遊技機であって、
複数の設定値のうちのいずれかの設定値を設定可能な設定手段と、
前記設定手段によって設定された設定値にもとづいて前記有利状態に関する制御を実行可能な遊技制御手段と、
遊技媒体が所定領域に進入することにもとづいて遊技価値を付与する遊技価値付与手段と、
複数の表示部を有し、前記遊技価値付与手段によって付与される遊技価値に関する所定情報を表示可能な情報表示手段と、
を備え、
前記情報表示手段は、所定条件が成立したときに前記設定手段により設定されている設定値を特定可能な設定値情報と、少なくとも前記設定値が記憶されている記憶領域に関するエラーが発生したことを特定可能なエラー情報と、を表示可能であり、
前記所定情報が表示される場合と前記設定値情報が表示される場合とで、使用される前記表示部の数が異なるとともに、前記所定情報が表示される場合と前記エラー情報が表示される場合とで、使用される前記表示部の数が同じである、
ことを特徴とする遊技機。
【手続補正２】
【補正対象書類名】明細書
【補正対象項目名】０００１
【補正方法】変更
【補正の内容】
【０００１】
本発明は、遊技媒体を用いた遊技が可能であり、遊遊技者にとって有利な有利状態に制御可能な遊技機に関する。
【手続補正３】
【補正対象書類名】明細書
【補正対象項目名】０００２
【補正方法】変更
【補正の内容】
【０００２】
従来、設定値変更機能付きパチンコ遊技機がある（例えば、特許文献１参照）。また、付与される遊技価値に関する所定情報を表示可能な情報表示手段を備えるパチンコ遊技機がある（例えば、特許文献２参照）。
【手続補正４】
【補正対象書類名】明細書
【補正対象項目名】０００３
【補正方法】変更
【補正の内容】
【０００３】
【特許文献１】特開２０１０−２００９０２号公報
【特許文献２】特許第６２０９６５３号公報
【手続補正５】
【補正対象書類名】明細書
【補正対象項目名】０００４
【補正方法】変更
【補正の内容】
【０００４】
しかしながら、特許文献１に記載されているパチンコ遊技機に特許文献２に記載されている情報表示手段を適用する場合、設定値を確認するための表示部と情報表示手段とを個別に設けると遊技機のコストを低減できないという問題がある。
【手続補正６】
【補正対象書類名】明細書
【補正対象項目名】０００５
【補正方法】変更
【補正の内容】
【０００５】
本発明は、このような問題点に着目してなされたもので、コストを低減できる遊技機を提供することを目的とする。
【手続補正７】
【補正対象書類名】明細書
【補正対象項目名】０００６
【補正方法】変更
【補正の内容】
【０００６】
手段１の遊技機は、
遊技媒体を用いた遊技が可能であり、遊技者にとって有利な有利状態（例えば、大当り遊技状態）に制御可能な遊技機（例えば、パチンコ遊技機１）であって、
複数の設定値（例えば、設定値としての１〜６）のうちのいずれかの設定値を設定可能な設定手段（例えば、ＣＰＵ１０３が図９−２２に示す設定値変更処理を実行する部分）と、
前記設定手段によって設定された設定値にもとづいて前記有利状態に関する制御を実行可能な遊技制御手段（例えば、ＣＰＵ１０３が特別図柄プロセス処理を実行する部分）と、
遊技媒体が所定領域に進入することにもとづいて遊技価値を付与する遊技価値付与手段（例えば、遊技球が第１始動入賞口、第２始動入賞口、一般入賞口１０、大入賞口等に入賞することによって賞球が払い出される部分）と、
複数の表示部（例えば、第１表示部２０７ＳＧ０２９Ａ〜第４表示部２０７ＳＧ０２９Ｄ）を有し、前記遊技価値付与手段によって付与される遊技価値に関する所定情報（例えば、図９−１７（Ｃ）に示すベース値）を表示可能な情報表示手段（例えば、表示モニタ２０７ＳＧ０２９）と、
を備え、
前記情報表示手段は、所定条件が成立したときに前記設定手段により設定されている設定値を特定可能な設定値情報と、少なくとも前記設定値が記憶されている記憶領域に関するエラーが発生したことを特定可能なエラー情報と、を表示可能であり（例えば、図９−２５に示すように、パチンコ遊技機１を起動した際に錠スイッチ２０７ＳＧ０５１と開放センサ２０７ＳＧ０９０がＯＮ且つクリアスイッチがＯＦＦである場合、設定値確認状態において設定値を表示可能な部分と、図９−２６（Ｂ）に示すように、設定値異常エラーが発生した場合は、第１表示部２０７ＳＧ０２９Ａ、第２表示部２０７ＳＧ０２９Ｂ、第３表示部２０７ＳＧ０２９Ｃ、第４表示部２０７ＳＧ０２９Ｄにおいて「Ｅ．」が表示される部分）、
前記所定情報が表示される場合と前記設定値情報が表示される場合とで、使用される前記表示部の数が異なるとともに、前記所定情報が表示される場合と前記エラー情報が表示される場合とで、使用される前記表示部の数が同じである（例えば、図９−２５に示すように、表示モニタ２０７ＳＧ０２９においてベース値が表示される場合は、第１表示部２０７ＳＧ０２９Ａ、第２表示部２０７ＳＧ０２９Ｂ、第３表示部２０７ＳＧ０２９Ｃ、第４表示部２０７ＳＧ０２９Ｄが使用され、表示モニタ２０７ＳＧ０２９において設定値が表示される場合は、第４表示部２０７ＳＧ０２９Ｄのみが使用される部分と、図９−２５（Ａ）及び図９−２６（Ｂ）に示すように、表示モニタ２０７ＳＧ０２９においてベース値を表示する場合と異常エラーの発生を表示する場合とで、どちらも第１表示部２０７ＳＧ０２９Ａ、第２表示部２０７ＳＧ０２９Ｂ、第３表示部２０７ＳＧ０２９Ｃ、第４表示部２０７ＳＧ０２９Ｄを使用する部分）、
ことを特徴としている。
この特徴によれば、遊技価値に関する所定情報を表示可能な情報表示手段に設定値情報も表示されるため、設定値情報を表示する表示手段を個別に設ける必要がなく、遊技機のコストを低減できるとともに、設定値情報とは異なるエラー情報であることを認識し易くできる。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
対象物に接する外面、及び、前記外面から窪んで形成されると共に前記外面が前記対象物に接した状態で外部に対して密閉される凹部を有し、音を遮蔽する筐体と、
前記外面側から見て前記凹部の内側に配され、少なくとも前記筐体の外面が前記対象物に接した状態で前記凹部に入り込み、前記対象物の振動を検出するセンサ部と、
前記センサ部を前記筐体に対して前記凹部が開口する方向に弾性的に変位可能に接続し、前記筐体の外面が前記対象物に接した状態で前記センサ部を前記対象物に押し付ける弾性フィルムと、
を備える生体センサ。
【請求項２】
前記弾性フィルムの第１面に前記センサ部が設けられ、
前記弾性フィルムの第２面は前記凹部の底面に対向する請求項１に記載の生体センサ。
【請求項３】
前記センサ部は、シート状またはフィルム状に形成され、厚み方向の振動を検出して電圧に変換する圧電センサである請求項１または２に記載の生体センサ。
【請求項４】
前記センサ部は、内部に多孔質構造を有するエレクトレットセンサである請求項１から３のいずれか一項に記載の生体センサ。
【請求項５】
前記筐体、前記センサ部及び弾性フィルムを含むセンサユニットを前記対象物に取り付ける取付具を備え、
前記センサユニットが、前記取付具に一体に設けられている請求項１から４のいずれか一項に記載の生体センサ。
【請求項６】
前記筐体が、前記外面に開口する複数の前記凹部を有し、
前記センサ部が、複数の凹部に対して一つずつ設けられている請求項１から５のいずれか一項に記載の生体センサ。
【手続補正２】
【補正対象書類名】明細書
【補正対象項目名】０００６
【補正方法】変更
【補正の内容】
【０００６】
本発明の生体センサは、対象物に接する外面、及び、前記外面から窪んで形成されると共に前記外面が前記対象物に接した状態で外部に対して密閉される凹部を有し、音を遮蔽する筐体と、前記外面側から見て前記凹部の内側に配され、少なくとも前記筐体の外面が前記対象物に接した状態で前記凹部に入り込み、前記対象物の振動を検出するセンサ部と、前記センサ部を前記筐体に対して前記凹部が開口する方向に弾性的に変位可能に接続し、前記筐体の外面が前記対象物に接した状態で前記センサ部を前記対象物に押し付ける弾性フィルムと、を備える。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
屋根の斜面に複数の金属瓦を葺いた瓦葺屋根であって、
前記屋根の斜面の下から上に向けて空気を流通させる流路を前記複数の金属瓦の裏面側で構成するように、それぞれの前記金属瓦に形設された隆起部と、
前記金属瓦の隆起部に取付けられた熱電素子と
を具備する瓦葺屋根。
【請求項２】
請求項１に記載の瓦葺屋根であって、
前記熱電素子は、前記金属瓦の隆起部の裏面に取付けられ、前記流路を流通する空気の温度と前記金属瓦の隆起部付近の温度との差に基づき発電する
瓦葺屋根。
【請求項３】
請求項１又は２に記載の瓦葺屋根であって、
前記隆起部は、断面が台形状となるように形設され、
前記熱電素子は、前記隆起部の台形状の上底部に取付けられている
瓦葺屋根。
【請求項４】
請求項１〜３のうちいずれか１項に記載の瓦葺屋根であって、
前記金属瓦の隆起部に設けられ、前記熱電素子を着脱自在に保持する保持部
を更に具備する瓦葺屋根。
【請求項５】
請求項１〜４のうちいずれか１項に記載の瓦葺屋根であって、
前記隆起部と前記熱電素子との間の隙間に充填された充填剤
を更に具備する瓦葺屋根。
【請求項６】
請求項１〜５のうちいずれか１項に記載の瓦葺屋根であって、
前記熱電素子は、電力を取り出すための電極がコバルト合金からなるスピンゼーベック熱電変換デバイスである
瓦葺屋根。
【請求項７】
請求項６に記載の瓦葺屋根であって、
前記スピンゼーベック熱電変換デバイスは、磁性絶縁体上に形成された柱状結晶粒からなるフェライトメッキ磁性膜と、前記磁性膜の表面に形成されたコバルト合金からなる電極膜とを有する
瓦葺屋根。
【請求項８】
金属製の瓦本体と、
屋根の斜面の下から上に向けて空気を流通させる流路を前記瓦本体の裏面側で構成するように形設された隆起部と、
前記隆起部に取付けられ、前記流路を流通する空気の温度と前記瓦本体の隆起部付近の温度との差に基づき発電する熱電素子と
を具備する金属瓦。
【請求項９】
請求項８に記載の金属瓦であって、
前記熱電素子は、電力を取り出すための電極がコバルト合金からなるスピンゼーベック熱電変換デバイスである
金属瓦。
【請求項１０】
請求項９に記載の金属瓦であって、
前記スピンゼーベック熱電変換デバイスは、磁性絶縁体上に形成された柱状結晶粒からなるフェライトメッキ磁性膜と、前記磁性膜の表面に形成されたコバルト合金からなる電極膜とを有する
金属瓦。
【請求項１１】
金属製の瓦本体と、
屋根の斜面の下から上に向けて空気を流通させる流路を前記瓦本体の裏面側で構成するように形設された隆起部と、
前記流路を流通する空気の温度と前記瓦本体の隆起部付近の温度との差に基づき発電する熱電素子を着脱自在に保持するための保持部と
を具備する金属瓦。
【手続補正２】
【補正対象書類名】明細書
【補正対象項目名】００１８
【補正方法】変更
【補正の内容】
【００１８】
【図１】屋根の斜面に金属瓦を葺いた瓦葺屋根を示す写真である。
【図２】本発明に係る屋根の斜面に複数の金属瓦を葺いた瓦葺屋根の断面図である。
【図３】第１の実施形態に係る金属瓦の一部断面斜視図である。
【図４】図３に示した金属瓦の横断面図である。
【図５】図３に示した金属瓦の縦断面図である。
【図６】第２の実施形態に係る金属瓦の一部断面斜視図である。（隆起部台形＋充填剤＋取付け金具）
【図７】第３の実施形態に係る金属瓦の一部断面斜視図である。（隆起部R＋充填剤＋可動アタッチメント）
【図８】第４の実施形態に係る金属瓦の一部断面斜視図である。
【図９】第５の実施形態に係る金属瓦の一部断面斜視図である。（表面に熱電素子）
【図１０】図９に示した金属瓦の横断面図である。
【図１１】図９に示した金属瓦の縦断面図である。
【図１２】本発明に係る熱電素子の断面図である。
【図１３】第６の実施形態に係る金属瓦の一部断面斜視図である。
【図１４】図１３示した金属瓦の横断面図である。
【図１５】図１３に示した金属瓦の縦断面図である。
【図１６】第７の実施形態に係る金属瓦の一部断面斜視図である。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
回転軸を中心に回転する回転部材と、前記回転部材に対向して設けられる静止部材との隙間において、前記回転軸の一方側である上流側から、前記回転軸の他方側である下流側に向かって流れるリーク流体をシールするシール構造において、
前記回転部材及び前記静止部材のいずれか一方を基部として、前記基部から前記回転部材及び前記静止部材のいずれか他方に向かって突出して設けられる共に、前記回転軸の軸方向に所定の間隔を空けて配置される複数のシールフィンと、
前記回転部材及び前記静止部材のいずれか他方に設けられ、複数の前記シールフィンに対向する複数のステップ面と、隣接する前記ステップ面同士の間に形成される蹴込面とにより、段差が形成されるステップと、を備え、
複数の前記シールフィンは、前記回転軸に直交する径方向に対して、前記基部から先端部に向かって、前記リーク流体の流通方向の上流側に傾斜しており、
前記各シールフィンと前記基部とにより形成されるコーナー部は、曲面となっており、前記ステップの前記蹴込面は、前記回転軸に直交する径方向に対して、上流側の前記ステップ面から下流側の前記ステップ面に向かって、前記リーク流体の流通方向の下流側に傾斜していることを特徴とするシール構造。
【請求項２】
前記回転軸に直交する径方向に対する、前記シールフィンの傾斜角度をβとすると、
前記傾斜角度βは、「１０°≦β≦２５°」の範囲となっていることを特徴とする請求項１に記載のシール構造。
【請求項３】
複数の前記シールフィンの傾斜角度βは、全て同じ角度となっていることを特徴とする請求項２に記載のシール構造。
【請求項４】
複数の前記シールフィンは、突出方向における前記基部から前記先端部までの長さが、全て同じ長さとなっていることを特徴とする請求項１から３のいずれか１項に記載のシール構造。
【請求項５】
前記回転軸に直交する径方向に対する、前記ステップの前記蹴込面の傾斜角度をαとし、
前記回転軸に直交する径方向に対する、前記シールフィンの傾斜角度をβとすると、
前記傾斜角度αは、「０°＜α≦β＋３０°」の範囲となっていることを特徴とする請求項１から４のいずれか１項に記載のシール構造。
【請求項６】
前記蹴込面の傾斜角度αは、全て同じ角度となっていることを特徴とする請求項５に記載のシール構造。
【請求項７】
前記回転軸に直交する径方向おいて、前記ステップ面と前記シールフィンとの間の距離をＨとし、
前記回転軸に直交する径方向おいて、前記蹴込面を挟んで、上流側の前記ステップ面と下流側の前記ステップ面との間の距離をＳとし、
前記回転軸に直交する径方向おいて、隣接する前記シールフィン同士の間に形成されるキャビティの底部と、下流側の前記ステップ面との間の距離をＤとすると、
前記距離Ｈ、前記距離Ｓ及び前記距離Ｄは、「１．５Ｈ≦Ｓ≦Ｄ」の関係となることを特徴とする請求項１から６のいずれか１項に記載のシール構造。
【請求項８】
前記各シールフィンは、前記基部から先端部までの全長に亘って傾斜していることを特徴とする請求項１から７のいずれか１項に記載のシール構造。
【請求項９】
前記各シールフィンは、前記基部から先端部に向かって、前記回転軸の軸方向における厚さが連続的に薄くなることを特徴とする請求項１から８のいずれか１項に記載のシール構造。
【請求項１０】
前記回転部材である動翼と、
前記静止部材であるケーシングと、
請求項１から９のいずれか１項に記載のシール構造と、を備えることを特徴とするタービン。
【請求項１１】
前記回転部材であるロータと、
前記静止部材である静翼と、
請求項１から９のいずれか１項に記載のシール構造と、を備えることを特徴とするタービン。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
回転軸と、
液冷媒が介在した状態で前記回転軸の外周面と向かい合う軸受面を有する、前記回転軸を支持する軸受と、
前記軸受から排出される前記液冷媒が気相冷媒とともに貯留される排出空間が介在した状態で前記軸受の軸線方向における前記軸受の端面と向かい合っており、前記回転軸が挿入された貫通孔を有する隔壁と、
前記回転軸の軸線方向において前記隔壁から見て前記軸受と反対側で気相冷媒が吸入される吸入空間が介在した状態で前記隔壁と向かい合う前面を有する、前記回転軸に固定された翼車であって、前記回転軸とともに回転することにより前記吸入空間から前記気相冷媒を吸入する翼車と、を備え、
前記隔壁及び前記回転軸は、前記貫通孔を形成する面と前記回転軸の外周面との間に、前記排出空間から供給される前記気相冷媒によって満たされる絞りを形成している、
ターボ機械。
【請求項２】
前記回転軸の軸線方向において前記翼車から見て前記隔壁と反対側で前記翼車に隣接して前記回転軸に取り付けられ、前記回転軸を回転させるモータをさらに備えた、請求項１に記載のターボ機械。
【請求項３】
前記回転軸の外周面から前記回転軸の半径方向外側に延びつつ環状に形成され、前記排出空間において前記隔壁に隣接して配置されている環状体をさらに備えている、請求項１又は２に記載のターボ機械。
【請求項４】
前記隔壁は、当該隔壁の内部に断熱構造を有する、請求項１〜３のいずれか１項に記載のターボ機械。
【請求項５】
回転軸に固定された翼車を回転させ、
前記回転軸と軸受との間に液冷媒を供給して前記軸受及び前記回転軸を潤滑し、
潤滑に用いた前記液冷媒のうち少なくとも一部の液冷媒を排出空間に排出し、
前記少なくとも一部の液冷媒のうち一部が蒸発した気相冷媒とともに前記少なくとも一部の液冷媒を前記排出空間に貯留し、
前記排出空間に貯留された前記少なくとも一部の液冷媒及び前記気相冷媒のうち前記気相冷媒を、前記排出空間と吸入空間との間に配置された隔壁に形成されて前記回転軸が挿入された貫通孔において前記回転軸と前記隔壁との間に形成された絞りを介して、前記排出空間から前記吸入空間へ供給し、
圧縮されるべき気相冷媒と前記排出空間から供給される前記気相冷媒とで前記吸入空間を満たし、
前記吸入空間を満たす前記気相冷媒を前記翼車の回転により圧縮する、
ターボ機械の冷媒圧縮方法。
【手続補正２】
【補正対象書類名】明細書
【補正対象項目名】発明の名称
【補正方法】変更
【補正の内容】
【発明の名称】ターボ機械及びターボ機械の冷媒圧縮方法
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
軸心を中心に回転可能な主軸の回転角度を検出する角度検出センサーと、
前記主軸の回転角度を検出する光学式エンコーダーと、を備え、
前記光学式エンコーダーは、前記主軸とともに回転する回転体に設けられ、前記軸心を中心とした第一仮想円に沿って配置された複数の第一スリットと、
前記第一スリットを通過した光を検出する第一検出部と、を有し、
隣り合う２つの前記第一スリット間の距離は、前記角度検出センサーで規定されている規定誤差の４／３以上である
ことを特徴とする位置検出装置。
【請求項２】
請求項１に記載の位置検出装置において、
前記光学式エンコーダーは、
前記回転体に設けられ、前記軸心を中心とした第二仮想円に沿って配置された複数の第二スリットと、
前記第二スリットを通過した光を検出する第二検出部と、を有し、
隣り合う２つの前記第二スリット間の距離は、隣り合う２つの前記第一スリット間の距離よりも小さい
ことを特徴とする位置検出装置。
【請求項３】
請求項２に記載の位置検出装置において、
前記第二スリットは、前記第一スリットよりも前記主軸から遠い位置に配置されている
ことを特徴とする位置検出装置。
【手続補正２】
【補正対象書類名】明細書
【補正対象項目名】０００７
【補正方法】変更
【補正の内容】
【０００７】
本発明に係る一適用例の位置検出装置は、軸心を中心に回転可能な主軸の回転角度を検出する角度検出センサーと、前記主軸の回転角度を検出する光学式エンコーダーと、を備え、前記光学式エンコーダーは、前記主軸とともに回転する回転体に設けられ、前記軸心を中心とした第一仮想円に沿って配置された複数の第一スリットと、前記第一スリットを通過した光を検出する第一検出部と、を有し、隣り合う２つの前記第一スリット間の距離は、前記角度検出センサーで規定されている規定誤差の４／３以上であることを特徴とする。
【手続補正３】
【補正対象書類名】明細書
【補正対象項目名】００１０
【補正方法】変更
【補正の内容】
【００１０】
本適用例の位置検出装置において、前記光学式エンコーダーは、前記回転体に設けられ、前記軸心を中心とした第二仮想円に沿って配置された複数の第二スリットと、前記第二スリットを通過した光を検出する第二検出部と、を有し、隣り合う２つの前記第二スリット間の距離は、隣り合う２つの前記第一スリット間の距離よりも小さいことが好ましい。
本適用例では、第一スリットの配置間隔（スリット間隔）よりも、小さいスリット間隔の第二スリットと、当該第二スリットを通過した光（回折光）を検出する第二検出部とを更に備える。スリットを通過した回折光を検出する光学式エンコーダーでは、スリット間隔を小さくすることで、分解能を向上させることができる。しかしながら、上述したように、第一スリットは、角度センサーの規定誤差の４／３以上の間隔で配置される構成となるため、スリット間隔が比較的大きくなり、高分解能な測定には不向きとなる。これに対して、本適用例では、上記のように、第一スリットよりもスリット間隔が小さい第二スリットと、第二検出部とを備えることで、第二スリット及び第二検出部を用いた高分解能な測定を行うことができる。つまり、本適用例では、角度検出センサー、第一スリット、及び第一検出部を用いて、絶対位置の測定を高精度に行い、第二スリット及び第二検出部を用いて、高分解能な測定を行うことができる。